(57)【要約】      （修正有）【課題】キロメーター級の長尺の高温超電導線材を作製しつつ、大型の超電導コイルを巻回する方法を提供する。【解決手段】高温超電導コイル巻線機にはんだ接続装置を配置し、巻回時に短尺の高温超電導線材３Ａ、３Ｂをはんだ接続装置で接続することにより長尺の高温超電導線材を作製しつつ、大型の超電導コイルを巻回する。【選択図】図３
2015207746.tif 000002
【特許請求の範囲】
【請求項１】
高温超電導コイル巻線機にはんだ接続装置を配置し、巻回時に短尺の高温超電導線材をはんだ接続装置で接続することにより長尺の高温超電導線材を作製しつつ、大型の超電導コイルを巻回することを特徴とする高温超電導コイル巻線方法。
【請求項２】
請求項１記載の高温超電導コイル巻線方法において、はんだ接続ステージと、はんだ用ヒータと、併設される第１の高温超電導線材供給リールと第２の高温超電導線材供給リールからなる、高温超電導線材供給リールとを備え、片側の高温超電導線材供給リールの線材が巻き終わったところでもう一方のリールの高温超電導線材を供給し、前記はんだ接続ステージ上で両リールの高温超電導線材を重ねてはんだによる接続を行うことを特徴とする高温超電導コイル巻線方法。
【請求項３】
請求項２記載の高温超電導コイル巻線方法において、前記高温超電導線材供給リールはパウダークラッチとモータの組み合わせにより、テンションを与えた状態で高温超電導線材を供給することを特徴とする高温超電導コイル巻線方法。
【請求項４】
請求項２記載の高温超電導コイル巻線方法において、はんだ接続後、巻線を行っていない側の高温超電導線材供給リールにテンションを与え、巻終わりのリールのテンションを開放して切断し、この動作を繰り返すことにより、複数の短尺の高温超電導線材から大型の超電導コイルを巻回することを特徴とする高温超電導コイル巻線方法。
【請求項５】
請求項１〜４記載の何れか１項記載の高温超電導コイル巻線方法において、前記高温超電導線材はビスマス系高温超電導線材や希土類系高温超電導線材であることを特徴とする高温超電導コイル巻線方法。
【請求項６】
はんだ接続のためのはんだ接続ステージと、はんだ用ヒーターと、絶縁材供給リールと、併設される第１の高温超電導線材供給リールと第２の高温超電導線材供給リールからなる高温超電導線材供給リールとを備え、片側の高温超電導線材が巻き終わったところでもう一方のリールから高温超電導線材を供給し、前記はんだ接続ステージ上で両リールの高温超電導線線材を重ねてはんだ接続を行うことを特徴とする高温超電導コイル巻線機。
【請求項７】
請求項６記載の高温超電導コイル巻線機において、前記高温超電導線材供給リールはパウダークラッチとモータの組み合わせで、テンションを与えた状態で高温超電導線材を供給することを特徴とする高温超電導コイル巻線機。
【請求項８】
請求項６記載の高温超電導コイル巻線機において、はんだ接続後、巻線を行っていない側の高温超電導線材供給リールにテンションを与え、巻終わりのリールのテンションを開放して切断し、この動作を繰り返すことにより、複数の短尺の高温超電導線材から大型の超電導コイルを巻回することを特徴とする高温超電導コイル巻線機。
【請求項９】
請求項６〜８記載の何れか１項記載の高温超電導コイル巻線機において、前記高温超電導線材はビスマス系高温超電導線材や希土類系高温超電導線材であることを特徴とする高温超電導コイル巻線機。
【発明の詳細な説明】
【技術分野】
【０００１】
本発明は、高温超電導コイル巻線方法及びその高温超電導コイル巻線機に係り、特に、長尺の高温超電導コイル巻線方法及びその巻線機に関するものである。
【背景技術】
【０００２】
従来、高温超電導コイルは数百メートル単位の短尺の高温超電導線材をはんだ付けによって、順次接続することにより、大型の超電導コイルを製作する必要があった。
【０００３】
すなわち、キロメーター級の長尺の高温超電導線材は開発途上であり、入手可能な線材長はせいぜい数百メートル単位である。
【先行技術文献】
【特許文献】
【０００４】
【特許文献１】なし
【非特許文献】
【０００５】
【非特許文献１】なし
【発明の概要】
【発明が解決しようとする課題】
【０００６】
上記したように、市販の線材長が必要な条長に対し短いため、大型の超電導コイルを製作する際には事前に高温超電導線材をはんだにより接続する必要があった。予め複数の高温超電導線材をはんだ接続して長尺高温超電導線材を製作するのは作業時間がかかり、コイル製作におけるコストの上昇を招いてしまうといった問題があった。
【０００７】
そこで、本発明は、上記状況に鑑みて、キロメーター級の長尺の高温超電導線材の製作時間を短縮して、大型の超電導コイルを製作することを目的とする。
【課題を解決するための手段】
【０００８】
本発明は、上記目的を達成するために、
〔１〕高温超電導コイル巻線方法において、高温超電導コイル巻線機にはんだ接続装置を配置し、巻回時に短尺の高温超電導線材をはんだ接続装置で接続することにより長尺の高温超電導線材を作製しつつ、大型の超電導コイルを巻回することを特徴とする。
【０００９】
〔２〕上記〔１〕記載の高温超電導コイル巻線方法において、はんだ接続ステージと、はんだ用ヒータと、併設される第１の高温超電導線材供給リールと第２の高温超電導線材供給リールからなる、高温超電導線材供給リールとを備え、片側の高温超電導線材供給リールの線材が巻き終わったところでもう一方のリールの高温超電導線材を供給し、前記はんだ接続ステージ上で両リールの高温超電導線材を重ねてはんだによる接続を行うことを特徴とする。
【００１０】
〔３〕上記〔２〕記載の高温超電導コイル巻線方法において、前記高温超電導線材供給リールはパウダークラッチとモータの組み合わせにより、テンションを与えた状態で高温超電導線材を供給することを特徴とする。
【００１１】
〔４〕上記〔２〕記載の高温超電導コイル巻線方法において、はんだ接続後、巻線を行っていない側の高温超電導線材供給リールにテンションを与え、巻終わりのリールのテンションを開放して切断し、この動作を繰り返すことにより、複数の短尺の高温超電導線材から大型の超電導コイルを巻回することを特徴とする。
【００１２】
〔５〕上記〔１〕〜〔４〕記載の何れか１項記載の高温超電導コイル巻線方法において、前記高温超電導線材はビスマス系高温超電導線材や希土類系高温超電導線材であることを特徴とする。
【００１３】
〔６〕高温超電導コイル巻線機において、はんだ接続のためのはんだ接続ステージと、はんだ用ヒーターと、絶縁材供給リールと、併設される第１の高温超電導線材供給リールと第２の高温超電導線材供給リールからなる高温超電導線材供給リールとを備え、片側の高温超電導線材が巻き終わったところでもう一方のリールから高温超電導線材を供給し、前記はんだ接続ステージ上で両リールの高温超電導線線材を重ねてはんだ接続を行うことを特徴とする。
【００１４】
〔７〕上記〔６〕記載の高温超電導コイル巻線機において、前記高温超電導線材供給リールはパウダークラッチとモータの組み合わせで、テンションを与えた状態で高温超電導線材を供給することを特徴とする。
【００１５】
〔８〕上記〔６〕記載の高温超電導コイル巻線機において、はんだ接続後、巻線を行っていない側の高温超電導線材供給リールにテンションを与え、巻終わりのリールのテンションを開放して切断し、この動作を繰り返すことにより、複数の短尺の高温超電導線材から大型の超電導コイルを巻回することを特徴とする。
【００１６】
〔９〕上記〔６〕〜〔８〕記載の何れか１項記載の高温超電導コイル巻線機において、前記高温超電導線材はビスマス系高温超電導線材や希土類系高温超電導線材であることを特徴とする。
【発明の効果】
【００１７】
本発明によれば、キロメーター級の長尺の高温超電導線材を作製しつつ、大型の超電導コイルを巻回することができる。
【図面の簡単な説明】
【００１８】
【図１】本発明の実施例を示す高温超電導コイル巻線機による初期高温超電導巻線工程の模式図である。
【図２】本発明の実施例を示す高温超電導コイル巻線機による交換高温超電導線材のセット工程の模式図である。
【図３】本発明の実施例を示す高温超電導コイル巻線機による高温超電導線材のはんだ接続工程の模式図である。
【図４】本発明の実施例を示す高温超電導コイル巻線機による高温超電導線材交換の終了工程の模式図である。
【図５】本発明の実施例を示す高温超電導コイル巻線機による高温超電導線材交換後の再開工程の模式図である。
【発明を実施するための形態】
【００１９】
本発明の高温超電導コイル巻線方法は、高温超電導コイル巻線機にはんだ接続装置を配置し、巻回時に短尺の高温超電導線材をはんだ接続装置で接続することにより長尺の高温超電導線材を作製しつつ、大型の超電導コイルを巻回する。
【実施例】
【００２０】
以下、本発明の実施の形態について詳細に説明する。
【００２１】
図１は本発明の実施例を示す高温超電導コイル巻線機による初期高温超電導巻線工程の模式図、図２はその高温超電導コイル巻線機による交換高温超電導線材のセット工程の模式図、図３はその高温超電導コイル巻線機による高温超電導線材のはんだ接続工程の模式図、図４はその高温超電導コイル巻線機による高温超電導線材交換の終了工程の模式図、図５はその高温超電導コイル巻線機による高温超電導線材交換後の再開工程の模式図である。
【００２２】
まず、図１に示すように、並設される第１の高温超電導線材供給リール１と第２の高温超電導線材供給リール２を配置し、第１の高温超電導線材供給リール１から短尺の高温超電導線材３Ａを繰り出し、休止しているはんだ接続ステージ４とはんだ用ヒータ５との間を通す。この工程では、第１の高温超電導線材供給リール１ではパウダークラッチとモーターにより高温超電導線材にテンションを与え、高温超電導線材３Ａは高温超電導線材巻き取り部６で巻き取る。
【００２３】
次に、図２に示すように、並設される第２の高温超電導線材供給リール２から高温超電導線材３Ｂを導出し、はんだ接続ステージ４上に交換高温超電導線材３Ｂをセットする。高温超電導線材巻き取り部６は停止しておく。
【００２４】
次に、図３に示すように、高温超電導線材３Ａは巻き終わりとなるので、高温超電導線材３Ａと交換高温超電導線材３Ｂとを重ねた状態で接続ステージ４上ではんだ用ヒータ５により高温超電導線材３Ａと交換高温超電導線材３Ｂとのはんだ接続を行う。高温超電導線材巻き取り部６は停止しておく。
【００２５】
次に、図４に示すように、高温超電導線材３Ａは切断し、第２の高温超電導線材供給リール２にテンションが付加されて交換高温超電導線材３Ｂが導出される。高温超電導線材巻き取り部６は停止しておく。
【００２６】
次に、図５に示すように、交換高温超電導線材３Ｂは高温超電導線材巻き取り部６に巻き取るようにする。
【００２７】
このように、本発明の高温超電導コイル巻線機は、はんだ接続のためのはんだ接続ステージ４と、はんだ用ヒータ５と、並設される第１の高温超電導線材供給リール１と第２の高温超電導線材供給リール２からなる、高温超電導線材供給リールとを備え、片側の高温超電導線材供給リールの線材が巻き終わったところでもう一方のリールの高温超電導線材を供給し、前記はんだ接続ステージ４上で両リールの高温超電導線材３Ａと３Ｂを重ねてはんだによる接続を行う。
【００２８】
また、第１、第２の高温超電導線材供給リール１，２はパウダークラッチとモータの組み合わせにより、テンションを与えた状態で高温超電導線材３Ａ，３Ｂを供給する。
【００２９】
更に、はんだ接続後、巻線を行っていない側の高温超電導線材供給リール２にテンションを与え、巻終わりの高温超電導線材供給リール１のテンションを開放して切断する。この動作を繰り返すことにより、複数の短尺の高温超電導線材３Ａ，３Ｂから準連続的に長尺の高温超電導線材を作製して、大型の超電導コイルを製作することができる。
【００３０】
なお、高温超電導線材３Ａ，３Ｂとしては、ビスマス系高温超電導線材や希土類系高温超電導線材を用いることができる。
【００３１】
また、本発明は上記実施例に限定されるものではなく、本発明の趣旨に基づき種々の変形が可能であり、これらを本発明の範囲から排除するものではない。
【産業上の利用可能性】
【００３２】
本発明の高温超電導コイル巻線方法及びその高温超電導コイル巻線機は、キロメーター級の長尺の高温超電導線材を作製しつつ、大型の超電導コイルを巻回することができる。
【符号の説明】
【００３３】
１    第１の高温超電導線材供給リール
２    第２の高温超電導線材供給リール
３Ａ，３Ｂ    高温超電導線材
４    はんだ接続ステージ
５    はんだ用ヒータ
６    高温超電導線材巻き取り部
【図１】
2015207746.tif 000003
【図２】
2015207746.tif 000004
【図３】
2015207746.tif 000005
【図４】
2015207746.tif 000006
【図５】
2015207746.tif 000007